(57)【要約】本発明は、セルラー電話のネットワーク上でセルを介するプッシュツートーク（ＰｏＣ）セッションにおいて、一人又は複数の参加者に送信するユーザの音声データを処理する方法である。本方法は、セッションの初期音声バーストにおける沈黙の初期期間を検出するステップと、参加者又は他の各参加者に音声データを再生するのに先立って、音声データから沈黙期間を除去するステップとを含む。これらの信号処理ステップは、開始側端末、受信側端末又はＩＭＳコアの１つにおいて実行される。
2007526699.tif 000002
【特許請求の範囲】
【請求項１】
通信ネットワークを介するプッシュツートークのセッションにおいて、一人又は複数の参加者に送信するためのユーザの音声データを処理するための方法であって、
前記参加者又は他の各参加者へ前記音声データを再生するのに先立って、該音声データから初期沈黙期間を除去するステップを
含むことを特徴とする方法。
【請求項２】
前記音声データは、
前記プッシュツートークの開始側によって提供される初期音声バーストである
ことを特徴とする請求項１に記載の方法。
【請求項３】
前記通信ネットワークは、セルラー電話ネットワークであり、
前記プッシュツートークは、セルを介するプッシュツートークサービスである
ことを特徴とする請求項１又は２に記載の方法。
【請求項４】
前記初期沈黙期間を特定するために、前記音声データを分析するステップを
さらに含むことを特徴とする１乃至３の何れかに記載の方法。
【請求項５】
前記初期沈黙期間を特定するために、前記音声データを分析するステップと、除去するステップとは、
前記参加者又は他の各参加者からの受諾を、セッションの前記通信ネットワークで受理されるのに先立って実行される
ことを特徴とする請求項２及び３に従属する請求項４に記載の方法。
【請求項６】
前記初期沈黙期間を特定するために、前記音声データを分析するステップは、
前記開始側の端末、前記通信ネットワーク内のノード、又は受信側の端末の１つで実行される
ことを特徴とする請求項４又は５に記載の方法。
【請求項７】
送信された前記音声データから前記初期沈黙期間を除去するステップは、
前記開始側の端末、前記通信ネットワーク内のノード、又は受信側の端末で実行される
ことを特徴とする請求項１乃至６の何れかに記載の方法。
【請求項８】
前記ネットワーク内のノードは、メディアリソース機能を有するノードである
ことを特徴とする請求項３に従属する請求項７に記載の方法。
【請求項９】
前記ネットワーク内のノードは、ＩＰマルチメディアサブシステム（ＩＭＳ）内に配置される
ことを特徴とする請求項３に従属する請求項７に記載の方法。
【請求項１０】
通話が開始されたことを判断するために、音響レベルを監視するステップを
さらに含むことを特徴とする請求項１乃至９の何れかに記載の方法。
【請求項１１】
沈黙を含むことを予期して、初期期間を予め定義するステップと、
前記予め定められた初期期間を除く前記音声データの始めの部分を切り取るステップと
をさらに含むことを特徴とする請求項１乃至９の何れかに記載の方法。
【請求項１２】
前記予め定められた初期期間は、固定されるか、或いは加入者の振る舞いに従って適応される
ことを特徴とする請求項１１に記載の方法。
【請求項１３】
加入者にプッシュツートークサービスを提供する通信ネットワークにおけるユーザのためのサーバノードであって、
プッシュツートークセッションにおける参加者から音声データバーストを受信する受信機と、
前記音声データバーストにおける初期沈黙期間を検知し、前記プッシュツートークセッションにおける参加者又は他の各参加者に前記音声データバーストを送信するのに先立って、該音声データバーストから前記検知された初期沈黙期間を除去するプロセッサと
を含むことを特徴とするサーバノード。
【請求項１４】
セルラー電話の通信ネットワークにおけるＩＰマルチメディアシステム内に配置され、
在圏呼セッション制御機能（Ｓ−ＣＳＣＦ）サーバを有する１つ又はそれ以上のセッション開始プロトコル（ＳＩＰ）へのインタフェースを
さらに含むことを特徴とする請求項１３に記載のサーバノード。
【請求項１５】
加入者にプッシュツートークサービスを提供する通信ネットワークにおけるユーザのための移動端末であって、
端末のユーザから音声データを受信する受信機と、
セッションにおける参加者又は他の各参加者に前記音声データを送信するのに先立って、該音声データから沈黙期間を除去するプロセッサと
を含むことを特徴とする移動端末。
【請求項１６】
前記移動端末は、無線端末であり、
前記通信ネットワークは、セルを介するプッシュツートークサービスを提供するセルラー電話のネットワークである
ことを特徴とする請求項１５に記載の移動端末。
【請求項１７】
前記受信機は、
アナログ又はデジタル電気信号に音声を変換するための手段を
含むことを特徴とする請求項１５又は１６に記載の移動端末。
【請求項１８】
前記受信機は、
前記通信ネットワークのようなインタフェースを介して相手側の移動端末で生成された音声データを受信するための手段を
含むことを特徴とする請求項１５又は１６に記載の移動端末。
【発明の詳細な説明】
【技術分野】
【０００１】
本発明は、プッシュツートークサービスにおける待ち時間を低減させる方法に関する。特に、本発明は、いわゆるセルを介するプッシュツートークサービスにおける待ち時間を低減する方法に関する。
【背景技術】
【０００２】
プッシュツートークは、移動無線ハンドセットのユーザが１つのボタンを押して、或いは少なくとも少数のボタンを押して、ほぼ瞬間的に互いに通信することができるサービスの一般名称である。産業界では、パケットデータサービスを伴うＧＳＭと３Ｇとを含む現行及び次世代セルラーネットワークに導入するためのプッシュツートークサービスを標準化する過程にある。上記サービスは、「セルを介するプッシュツートーク」（ＰｏＣ）として知られている。
【０００３】
ＰｏＣは、セルラーネットワークへの高度データサービス、特にリアルタイムマルチメディアサービスの導入を促進するために第３世代パートナーシッププロジェクトによって標準化されたＩＰマルチメディアサブシステム（ＩＭＳ）を使用する。ＩＭＳは、マルチメディアＩＰベースセッションの設定及び制御のためにインターネット技術標準化委員会（ＩＥＴＦ）によって規定されたセッション開始プロトコル（ＳＩＰ）に従う。図１は、幾つかのユーザ端末、或いは３Ｇでいうところのユーザ装置（ＵＥ）１の間でＰｏＣサービスを提供するセルラーネットワークの構成を概要的に示す図である。ＵＥ１は、それぞれの無線アクセスネットワーク２に接続される。無線アクセスネットワーク２は、同様にＩＭＳコア３に接続される。ＩＭＳコア３内には、幾つかのサーバが存在する。サーバには、ＩＭＳサービスのセッション状態を維持する主ＳＩＰサーバである在圏呼セッション制御機能（Ｓ−ＣＳＣＦ）サーバ４が含まれる。また、ＩＭＳコア３内には、ＵＥ１にとって第１のコンタクトポイントであって、Ｓ−ＣＳＣＦにＳＩＰメッセージを転送するプロキシ呼セッション制御機能（Ｐ−ＣＳＣＦ）サーバ５が含まれる。ＩＭＳコア３内のサーバは、運用会社のネットワーク内及び複数のネットワーク間に分散される。さらに、ＰｏＣサーバ６は、ＩＭＳ内に位置するか、又はＩＭＳに接続される。ＰｏＣサーバ６は、３ＧＰＰによって規定されるようにメディアリソース機能（ＭＲＦ）を組み込むようにしてもよい。
【発明の開示】
【発明が解決しようとする課題】
【０００４】
図２は、図１のネットワークを介するＰｏＣセッションの設定に関連する一定の信号制御を示す図である（図示していないが、種々のノード間で追加メッセージが伝送されるようにしてもよい。）。加入者は、自身の端末ＵＥ＃１の適当なボタンを押すことによりセッションを開始する。これによりＳＩＰ要求（ＳＩＰ＿ＩＮＶＩＴＥ）メッセージがＩＭＳコアのＰｏＣサーバを介して相手側の端末ＵＥ＃２に送信される。その後、端末とＩＭＳとの間で信号の伝送がさらに続けられる。上述したように、ＰｏＣの主要な課題は、端末同士の瞬時に近い接続である。したがって、送信する音声の大きな遅延は、回避されるべきである。
【０００５】
ＳＩＰ要求メッセージが送信され、ＩＭＳが着呼側から応答を受信する間の時間は、ネットワーク確立の本質的な特性（例えば、ページング、一時的ブロックの流れ（ＴＢＦ）の確立など）により３秒程度となりうる。初期接続プロセスを高速化するために、着呼側がセッションを未だ受諾していなくとも、ＩＭＳからのＳＩＰ２０２受諾メッセージを端末により受信すると、開始（発呼側の）加入者は、通話を開始できる。受諾メッセージの受信は、通常、当該端末で音又は「ビープ音」を再生することによって開始加入者に伝達される。ネットワーク内のＰｏＣサーバが相手側（着呼側）の端末からＳＩＰ２００＿ＯＫメッセージを受信するまでの間、初期音声バーストは、当該ＰｏＣサーバによってバッファされてもよい。当該メッセージが受信されると、音声バーストは、相手側の端末に直ちに送信される。それにもかかわらず、着呼側により感じられる遅延は、かなり残っており、遅延をさらに減じることが望まれている。
【課題を解決するための手段】
【０００６】
本発明の発明者は、開始加入者が加入者の反応時間及びその「思考時間」の両方のため、音が再生された直後であっても通話を始めそうにないということを認識している。図２に例示するように、この遅延は、０．８秒の計算となる。
【０００７】
本発明の第１の形態は、通信ネットワークを介するプッシュツートークセッションの一人又は複数の参加者に送信するためのユーザの音声データを処理する方法である。本方法は、参加者又は他の各参加者に音声データを再生するのに先立って、音声データから初期沈黙期間を除去するステップを含む。
【０００８】
本発明は、プッシュツートークセッションの開始側によって提供される初期音声バーストから初期沈黙期間を除去することに、特に適している。これには、開始加入者による音声バーストの生成と参加者或いは他の各参加者への音声バーストの再生との間の遅延を低減させる効果がある。
【０００９】
通信ネットワークは、セルラー電の話ネットワークであり、プッシュツートークサービスは、セルを介するプッシュツートーク（ＰｏＣ）サービスであることが望ましい。
【００１０】
本発明の実施形態は、音声データを分析し、初期沈黙期間を特定するステップを含んでもよい。このステップは、開始側の端末、通信ネットワーク内のノード、又は受信端末において実行されてもよい。同様に、送信された音声データから検出される沈黙期間を除去するステップは、開始側の端末、通信ネットワーク内のノード、或いは受信端末において実行されてもよい。通信ネットワークがセルラー電話のネットワークであり、プッシュツートークサービスがＰｏＣサービスである場合、ネットワークノードは、ＩＰマルチメディアサブシステム（ＩＭＳ）内に存在することが望ましい。
【００１１】
検出及び除去のステップが開始側の端末において実行される場合、検出のステップは、開始側の端末でのデータの記録の途中、又はその後に、音声データを分析するステップを含むようにしてもよい。
【００１２】
本発明の実施形態は、音響レベルを監視するステップと、及びその音響レベルがある予め定められた閾値を超えるときのみに、音声の記録を開始するステップとを含むようにしてもよい。このステップは開始側の端末、又は通信ネットワーク内のサーバノードにおいて実行されてもよい。本発明の他の実施形態では、沈黙を含むと思われる初期期間が予め定められ、音声データの始めの部分は予め定められた期間を除去するために切り取られる。予め定められた期間は、固定であっても、またユーザの通話／使用パターンに基づいて適応されるようにしてもよい。
【００１３】
音声データから初期沈黙期間を除去するステップは、音声データが受信されるときにリアルタイムで実行されるか、又は格納若しくはバッファされた音声データを後に処理することにより実行されてもよい。
【００１４】
本発明の第２の形態は、加入者にプッシュツートークサービスを提供する通信ネットワークにおいて使用するサーバノードである。本ノードは、プッシュツートークセッションの参加者から音声データバーストを受信する受信機を含む。また、本ノードは、音声データバーストの初期沈黙期間を検出し、セッションの参加者、又は他の各参加者への送信に先立って、音声データから検出される沈黙期間を除去するプロセッサを含む。
【００１５】
本サーバノードは、セルラー電話の通信ネットワークにおけるＩＰマルチメディアサブシステム内に配置されることが望ましい。さらに、本サーバノードは、在圏呼セッション制御機能（Ｓ−ＣＳＣＦ）サーバを有する１つ又はそれ以上のセッション開始プロトコル（ＳＩＰ）サーバへのインタフェースを含むことが望ましい。
【００１６】
本発明の第３の形態は、加入者にプッシュツートークサービスを提供する通信ネットワークにおいて使用する移動端末である。本移動端末は、端末のユーザから音声データを受信する受信機と、セッションの参加者、又は他の各参加者への送信に先立って、音声データから沈黙期間を除去するプロセッサとを含む。
【００１７】
移動端末は、無線端末であり、通信ネットワークはセルを介するプッシュツートークサービスを提供するセルラー電話ネットワークであることが望ましい。
【００１８】
移動端末は、端末のユーザにより使用される端末、又はセッションに参加する他の端末であってもよい。
【発明を実施するための最良の形態】
【００１９】
セルを介するプッシュツートーク（ＰｏＣ）セッションの確立に特有の遅延については、図１及び図２を参照して上述した。以下では、これらの遅延を十分に低減する機構について、幾つかの可能な実施形態を参照して記載する。本実施形態は、音を鳴らすか、或いは他の手段によってＰｏＣセッションの参加者が通話を始めてよいことをその端末が指示した後に、しばらく時間が経過するまで、通話を始めないという事実に基づいている。
【００２０】
本発明の第１の実施形態において、ＰｏＣサーバのメディアリソース機能（ＭＲＦ）は、ＰｏＣセッションの開始に続いて開始加入者の移動端末（ＵＥ＃１）から送信される初期音声バーストの受信を開始する。このバーストは、例えば０．８秒継続する可能性のある初期沈黙期間、又は背景雑音を含み、ＵＥ＃１からＰｏＣサーバへ幾つかのリアルタイムプロトコル（ＲＴＰ）フレームで伝送される。ＰｏＣサーバは、受信した音声データをバッファし、セッションの他の参加者からＳＩＰ２００＿ＯＫメッセージの受信（他の参加者からの受諾）を待つ。これは、数ミリ秒から数秒を要する可能性がある。この時間の間に、ＰｏＣサーバは、初期沈黙期間の長さを決定するためにバッファされたデータを分析し、一度識別されたその期間を除去するためにデータを切り取る。ＳＩＰ２００＿ＯＫメッセージの受信に続いて、ＰｏＣサーバは、バッファの先頭から切り取った音声の送信を開始する。
【００２１】
図３は、セッションの手順に関連する信号制御を示す図である。上述したように、ＩＭＳコアのＰｏＣサーバは、着呼側を呼び出す（ここでは、参加者が２人のみである場合を例示する。）。一方、ＰｏＣサーバは、同時に「発言権」をＵＥ＃１（ＭＳ＃１）に与える。音声バーストから初期沈黙期間を除去することによって、音声は、ＵＥ＃２（ＭＳ＃２）によってその他の場合より０．８秒早く受信される。全体のセッションは、同じ時間だけ早められる。したがって、参加者におけるリアルタイム性の実感を高めることが理解されるであろう。
【００２２】
初期沈黙期間の存在及び持続時間の決定プロセスは、ＰｏＣサーバにおいて受信した音声信号の音量を分析することによって行われる。音量が予め定められた閾値を超えると、通話が始まり、かつ、沈黙期間が終わったと想定される。もちろん、さらに高度なアルゴリズムが使用されてもよい。例えば、音声信号は、通話に特有のパターンの存在によって分析されてもよい。これにより、誤った通話指示を行うことから背景雑音の存在が抑制される。他の手法では、音声が鳴った後のある固定期間、例えば、０．８秒の間通話は始まりえないと想定し、その期間を音声バーストの始まりから除去する。開始側（発呼側）の振る舞い、或いは加入者グループの統計的に分析された振る舞いに応じて、この期間の長さは動的に適応されてもよい。
【００２３】
上述した手法は、ＩＭＳコア内において実行される音声分析手順及び沈黙期間の除去に基づいている。この手法を達成するために十分な処理能力を提供することは問題にならない。しかしながら、開始側の端末において、十分な処理能力が利用可能であれば、これらのステップは開始側の端末で実行されてもよい。即ち、開始側の端末における適当な音声の鳴動に続いて、直ちに、開始側の端末は、ユーザの音声を分析し、初期沈黙期間の長さを決定する。また、開始側の端末において、ＩＭＳコアからの「通話指示」メッセージが受信されるのに先立って、音声が鳴らされてもよい。
【００２４】
初期音声バーストの分析及び修正は、代わりに受信端末（又は、セッションに３人以上の参加者が含まれれば、複数の受信端末）において実行されてもよい。しかしながら、受信端末とＩＭＳコアとの間のインタフェースを介するデータ伝送速度が通話速度より十分に速く、再生に先立って、受信音声の「展開」が間に合うことが必要である。このような場合、上述した他の解決手法により達成されるほどの効果がなくとも、初期沈黙期間の検出と除去によってセッションの遅延は、十分に低減されるであろう。
【図面の簡単な説明】
【００２５】
【図１】セルを介するプッシュツートークサービスを加入者に提供するセルラー電話における通信ネットワークの概要を示す図である。
【図２】セルを介するプッシュツートークセッションの設定フェーズ及び初期音声バーストに関連する信号制御を示す図である。
【図３】セルを介するプッシュツートークセッションの改善された設定フェーズ及び初期音声バーストに関連する信号制御を示す図である。
【図１】
2007526699.tif 000003
【図２】
2007526699.tif 000004
【図３】
2007526699.tif 000005
【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
通信ネットワークを介するプッシュツートークのセッションにおいて、一人又は複数の参加者に送信するためのユーザの音声データを処理エンティティで処理するための方法であって、
前記参加者又は他の各参加者からのセッション受諾を前記処理エンティティによって受信するのに先立って、プッシュツートークのセッションの開始処理を続行するステップと、
初期沈黙期間を特定するために前記音声データを分析するステップと、
前記参加者又は他の各参加者の受信端末へ前記音声データを送信するのに先立って、該音声データから初期沈黙期間を除去するステップとを
含むことを特徴とする方法。
【請求項２】
前記音声データは、
前記プッシュツートークの開始側によって提供される初期音声バーストである
ことを特徴とする請求項１に記載の方法。
【請求項３】
前記通信ネットワークは、セルラー電話ネットワークであり、
前記プッシュツートークは、セルを介するプッシュツートークサービスである
ことを特徴とする請求項１又は２に記載の方法。
【請求項４】
前記初期沈黙期間を特定するために、前記音声データを分析するステップは、
前記開始側の端末又は前記通信ネットワーク内のノードで実行される
ことを特徴とする請求項１乃至３の何れかに記載の方法。
【請求項５】
送信された前記音声データから前記初期沈黙期間を除去するステップは、
前記開始側の端末又は前記通信ネットワーク内のノードで実行される
ことを特徴とする請求項１乃至４の何れかに記載の方法。
【請求項６】
前記ネットワーク内のノードは、メディアリソース機能を有するノードである
ことを特徴とする請求項５に記載の方法。
【請求項７】
前記ネットワーク内のノードは、ＩＰマルチメディアサブシステム（ＩＭＳ）内に配置される
ことを特徴とする請求項５に記載の方法。
【請求項８】
通話が開始されたことを判断するために、音響レベルを監視するステップを
さらに含むことを特徴とする請求項１乃至７の何れかに記載の方法。
【請求項９】
沈黙を含むことを予期して、初期期間を予め定義するステップと、
前記予め定められた初期期間を除く前記音声データの始めの部分を切り取るステップと
をさらに含むことを特徴とする請求項１乃至７の何れかに記載の方法。
【請求項１０】
前記予め定められた初期期間は、固定されるか、或いは加入者の振る舞いに従って適応される
ことを特徴とする請求項９に記載の方法。
【請求項１１】
加入者にプッシュツートークサービスを提供する通信ネットワークにおけるユーザのためのサーバノードであって、
プッシュツートークセッションにおける参加者から音声データバーストを受信する受信機と、
受信側となる参加者からのセッション受諾を前記通信ネットワークによって受信するのに先立って、前記プッシュツートークセッションの開始処理を続行し、前記音声データバーストにおける初期沈黙期間を検知し、前記プッシュツートークセッションにおける参加者又は他の各参加者に前記音声データバーストを送信するのに先立って、該音声データバーストから前記検知された初期沈黙期間を除去するプロセッサと
を含むことを特徴とするサーバノード。
【請求項１２】
セルラー電話の通信ネットワークにおけるＩＰマルチメディアシステム内に配置され、
在圏呼セッション制御機能（Ｓ−ＣＳＣＦ）サーバを有する１つ又はそれ以上のセッション開始プロトコル（ＳＩＰ）へのインタフェースを
さらに含むことを特徴とする請求項１１に記載のサーバノード。
【請求項１３】
加入者にプッシュツートークサービスを提供する通信ネットワークにおけるユーザのための移動端末であって、
端末のユーザから音声データを受信する受信機と、
受信側の端末からのセッション受諾を前記移動端末によって受信するのに先立って、プッシュツートークの開始処理を続行し、セッションにおける参加者又は他の各参加者に前記音声データを送信するのに先立って、該音声データから沈黙期間を除去するプロセッサと
を含むことを特徴とする移動端末。
【請求項１４】
前記移動端末は、無線端末であり、
前記通信ネットワークは、セルを介するプッシュツートークサービスを提供するセルラー電話のネットワークである
ことを特徴とする請求項１３に記載の移動端末。
【請求項１５】
前記受信機は、
アナログ又はデジタル電気信号に音声を変換するための手段を
含むことを特徴とする請求項１３又は１４に記載の移動端末。
【請求項１６】
前記受信機は、
前記通信ネットワークのようなインタフェースを介して相手側の移動端末で生成された音声データを受信するための手段を
含むことを特徴とする請求項１３又は１４に記載の移動端末。
【手続補正２】
【補正対象書類名】明細書
【補正対象項目名】０００７
【補正方法】変更
【補正の内容】
【０００７】
本発明の第１の形態は、通信ネットワークを介するプッシュツートークセッションの一人又は複数の参加者に送信するためのユーザの音声データを処理エンティティで処理する方法である。本方法は、参加者又は他の各参加者からのセッション受諾を処理エンティティによって受信するのに先立って、プッシュツートークの開始処理を続行するステップと、初期沈黙期間を特定するために音声データを分析するステップとを含む。本方法は、参加者又は他の各参加者にの受信端末へ音声データを送信するのに先立って、音声データから初期沈黙期間を除去するステップを含む。
【手続補正３】
【補正対象書類名】明細書
【補正対象項目名】００１０
【補正方法】変更
【補正の内容】
【００１０】
初期沈黙期間を特定するために音声データを分析するステップは、開始側の端末又は通信ネットワーク内のノードで実行されても良い。同様に、送信された音声データから検出される沈黙期間を除去するステップは、開始側の端末又は通信ネットワーク内のノードで実行されてもよい。通信ネットワークがセルラー電話のネットワークであり、プッシュツートークサービスがＰｏＣサービスである場合、ネットワークノードは、ＩＰマルチメディアサブシステム（ＩＭＳ）内に存在することが望ましい。
【手続補正４】
【補正対象書類名】明細書
【補正対象項目名】００１４
【補正方法】変更
【補正の内容】
【００１４】
本発明の第２の形態は、加入者にプッシュツートークサービスを提供する通信ネットワークにおいて使用するサーバノードである。本ノードは、プッシュツートークセッションの参加者から音声データバーストを受信する受信機を含む。また、本ノードは、受信側の参加者からのセッション受諾を通信ネットワークによって受信するのに先立って、プッシュツートークセッションの開始処理を続行し、音声データバーストの初期沈黙期間を検出し、セッションの参加者、又は他の各参加者への送信に先立って、音声データから検出される沈黙期間を除去するプロセッサを含む。
【手続補正５】
【補正対象書類名】明細書
【補正対象項目名】００１６
【補正方法】変更
【補正の内容】
【００１６】
本発明の第３の形態は、加入者にプッシュツートークサービスを提供する通信ネットワークにおいて使用する移動端末である。本移動端末は、受信側の端末からのセッション受諾を移動端末によって受信するのに先立って、プッシュツートークの開始を続け、端末のユーザから音声データを受信する受信機と、セッションの参加者、又は他の各参加者への送信に先立って、音声データから沈黙期間を除去するプロセッサとを含む。
【国際調査報告】
2007526699.tif 000006
2007526699.tif 000007
2007526699.tif 000008